(57)【要約】【課題】水槽としての基本的な機能を有するとともに、特に、緊急用のボートとして活用し得る機能を備えた多用途多機能水槽を提供する。【解決手段】繊維強化プラスチック（ＦＲＰ）製の多用途多機能水槽３０は、たとえばコンテナによってなる構造物３１のルーフ３２に取り外し可能に搭載されており、上面を開口した有底の第１貯水部５１と、第１貯水部５１の周囲を囲繞する閉断面構造の第２貯水部５２とを備えた複合構造になっている。そして、第２貯水部５２における注水室５２Ａの満水状態で、コンテナ３１のルーフ３２から多用途多機能水槽３０を取り外して水面に浮かべて第１貯水部５１に４〜５名の乗員が乗っても、沈没することのない浮力が得られる。【選択図】　　　　図１
2004131150.tif 000002
【特許請求の範囲】
【請求項１】
構造物のルーフに取り外し可能に搭載されていることを特徴とする多用途多機能水槽。
【請求項２】
前記水槽が上面を開口した第１貯水部と、閉断面構造の第２貯水部とを備えている請求項１に記載の多用途多機能水槽。
【請求項３】
前記第１貯水部と第２貯水部のそれぞれに、個別の排水系を設けてある請求項１または請求項２のいずれかに記載の多用途多機能水槽。
【請求項４】
前記水槽が前記第１貯水部と、この第１貯水部の周囲を取り囲んで設けた前記第２貯水部との複合構造である請求項１、請求項２または請求項３のいずれかに記載の多用途多機能水槽。
【請求項５】
前記第２貯水部が注水室と浮力発生室に仕切られている請求項４に記載の多用途多機能水槽。
【請求項６】
前記第２貯水部がバラストタンク構造である請求項４に記載の多用途多機能水槽。
【発明の詳細な説明】
【０００１】
【発明の属する技術分野】
本発明は、生活用水や防火または消火用水を貯水する水槽としての基本的な機能を有するとともに、特に、緊急用のボートとして活用し得る機能を備えた多用途多機能水槽に関するものである。
【０００２】
【従来の技術】
従来より、図８に示す災害対策用施設が知られている。この災害対策用施設は、周囲に冷却水貯留用の中空部１ａを有する耐熱金属製本体１と、この耐熱金属製本体１の一側面に室外および室内から開閉し得る気密および水密水性の扉２を設置し、耐熱金属製本体１の上部に室内外通気用で室内から開閉可能にした通風口１１を設け、耐熱金属製本体１の中空部１ａへの冷却水を該耐熱金属製本体１の内部に配備した水槽２０から供給し得るように構成されている（たとえば、特許文献１参照）。
【０００３】
この種の災害対策用施設によれば、外閉め用ハンドル７の操作により扉２を開閉することで、物を出し入れしたり人が出入りできる。つまり、物置きとして使用する場合は、通風口１１を開いた状態で、物品を適宜搬入配置する。また、人の避難室として使用する場合は、入室後に内閉め用ハンドル８の操作により扉２を閉め、電灯２５などの照明手段を点灯させる。
【０００４】
一方、火災等によって外部の有害ガスが通風口１１より侵入してくるような場合には、通風口１１を閉じ、酸素ボンベ１８を開いて施設内に酸素を供給して酸素不足分を補うとともに、施設内の気圧を０．０１〜０．２気圧程度外部より高めに設定しておくことで、空気置換（空気排出）の際に、外部から有害ガスが侵入するのを阻止することができる。
【０００５】
他方、外気中に有害ガスがない場合は、酸素ボンベ１８を使用することなく通風口１１を開き、室内を大気圧の状態に保持し、津波などで通風口１１から水が侵入するような場合や、雪崩、土砂崩れなどによって通風口１１が塞がってしまったような場合は、前記と同様に通風口１１を閉じて、酸素ボンベ１８を使用する。
【０００６】
また、耐熱金属製本体１内においては、水槽２０内の水を蛇口２２から取り出して飲料用などに使用することができる。水槽２０内の水は通水パイプ２３を通って本体１の中空部１ａに入り込み、また、フレキシブルチューブ３を通って扉２の中空部にも入り込み（水槽２０と同じ水位となる。）、以て火災等に際して、断熱材５の作用と相俟って、室内が加熱状態となることを防止する。
【０００７】
外気温が火災などにより高くなると中空部１ａ内の水の蒸発が促進され、中空部１ａの上部に水蒸気が貯まるが、この水蒸気は水蒸気出口１５から本体１の外に出る。その際、水蒸気冷却傘１４がある場合はそれに当たって冷却され、水滴となって滴下し、本体１の外側を冷却するように作用する。
【０００８】
耐熱金属製本体１内の酸素圧力が過度に上昇した場合、その酸素圧によって自動的に室内圧力弁１２が開き、過剰な酸素を逃がすことによりガス圧のコントロールが行われる。施設内の飲料水などがなくなった場合は、予備出口２８を利用する。
【０００９】
また、火災等に備え、種々の手段により室内の温度上昇が抑制されるようになっている。すなわち、最外側の通気スペース１ｂ内において、空気の対流による昇温防止が行われ、その内側の中空部１ａ内において水冷が行われ、そこにおいて蒸発した水蒸気が水蒸気出口１５の水蒸気冷却傘１４に当たって冷却され、水滴となって滴下して、本体１の外表面を冷却することが行われる。さらに、中空部１ａの内側に断熱材５が配備される。
【００１０】
【特許文献１】
特開平１１−１４１１７３号公報（図１参照。）
【００１１】
【発明が解決しようとする課題】
ところが、この種の災害対策用施設の水槽２０は、飲料水などを貯水する基本的な機能を有しているものにしかすぎない。このため、たとえば、地震、火災、津波、雪崩、土砂崩れなどの災害対策用施設に付設することにより、生活用水や防火または消火用水を貯水する水槽としての基本的な機能を有するとともに、特に、緊急用のボートとして活用し得る機能を備えた多用途多機能水槽の開発が待望されている。
【００１２】
本発明は、このような実情に鑑みてなされたもので、水槽としての基本的な機能を有するとともに、特に、緊急用のボートとして活用し得る機能を備えた多用途多機能水槽を提供することを目的としている。
【００１３】
【課題を解決するための手段】
前記目的を達成するために、請求項１に記載の発明に係る多用途多機能水槽は、構造物のルーフに取り外し可能に搭載されていることを特徴としている。
【００１４】
前記水槽が上面を開口した第１貯水部と、閉断面構造の第２貯水部とを備えていることが好ましい。
【００１５】
前記第１貯水部と第２貯水部のそれぞれに、個別の排水系を設けることが好ましい。
【００１６】
前記水槽が前記第１貯水部と、この第１貯水部の周囲を取り囲んで設けた前記第２貯水部との複合構造であることが好ましい。
【００１７】
第２貯水部が注水室と浮力発生室に仕切られていればよい。
【００１８】
前記第２貯水部がバラストタンク構造であってもよい。
【００１９】
請求項１に記載の発明によれば、構造物のルーフに搭載されることで得られる位置エネルギーにより、水槽内の水を生活用水に使用することができる。また、構造物のルーフが直射日光に晒されるのを回避することができる。さらに、水槽全体のボリュームに対する貯水のボリュームの割合を設定することで、水槽に浮力を生じさせることができるので、構造物のルーフから水槽を取り外して、緊急用のボートとして活用することができる。
【００２０】
請求項２に記載の発明によれば、上面を開口した第１貯水部でたとえば雨水を貯水し、閉断面構造の第２貯水部で水道水を貯水して、これらを生活用水として使用することができる。
【００２１】
請求項３に記載の発明によれば、第１貯水部に貯水されているたとえば雨水と、第２貯水部に貯水されている水道水とを、個別の排水系により分類して排水し、目的に応じた生活用水として選択使用することができる。
【００２２】
請求項４に記載の発明によれば、第１貯水部に貯水されているたとえば雨水を排水し、第２貯水部に水道水を貯水した状態で浮力を発生させ、飲料水を貯水した緊急用のボートとして水槽を活用することができる。
【００２３】
請求項５に記載の発明によれば、注水室が満水状態であっても、浮力発生室により水槽に浮力を発生させて、飲料水を貯水した緊急用のボートとして水槽を活用することができる。
【００２４】
請求項６に記載の発明によれば、緊急用のボートとして水槽を活用するのに際して、ボートにのる人数に応じて飲料水の貯水量と浮力の大きさを好適な値に調整することができる。
【００２５】
【発明の実施の形態】
以下、本発明の好ましい実施の形態を図面に基づいて説明する。図１は本発明の一実施の形態を示す斜視図、図２は図１の正面図、図３は図２の平面図、図４は図２の右側面図である。これらの図において、多用途多機能水槽３０は、構造物３１のルーフ３２に取り外し可能に搭載されている。構造物３１は、たとえば図示例のようなコンテナによって構成することが望ましい。勿論、一般の建屋などの屋上やベランダなどを構造物３１として活用してもよい。ただし、一般の建屋を構造物３１として活用するに際しては、適宜補強を施して水槽３０を取り外し可能に搭載し得る強度の確保が必要な場合もある。
【００２６】
多用途多機能水槽３０は、繊維強化プラスチック（ＦＲＰ）製のもので、ルーフ３２の平面形状に律して平面形状が略矩形に形成されており、その底面をルーフ３２に載置した状態で取り外し可能に搭載してある。勿論、ルーフ３２上での振動や強風などによる位置ずれを防止するために適宜固定することが推奨される。
【００２７】
多用途多機能水槽３０は、図５，図６，図７にも示されているように、上面を開口した有底の第１貯水部５１と、閉断面構造の第２貯水部５２とを備え、第２貯水部５２が第１貯水部５１の周囲を囲繞した複合構造になっているとともに、下側に位置する注水室５２Ａと、上側の空気のみが存在する浮力発生室５２Ｂに仕切られている。また、注水室５２Ａの内部は複数の隔壁３３によって通水可能に仕切られており、注水室５２Ａ内での水の揺動を抑えるようにしてある。
【００２８】
一方、第１貯水部５１に第１排水系３４が設けられ、第２貯水部５２の注水室５２Ａには第２排水系３５を設けてある。第１排水系３４は、第１貯水部５１と外部を連通させる排水管３６と、この排水管３６に介設した排水弁３７とを備え、第２排水系３５，３５は、注水室５２Ａと外部を連通させる排水管３８と、この排水管３８に介設した排水弁３９とを備えている。また、注水室５２Ａには、給水管４０と、この給水管４０に介設した給水弁４１とを備えた給水系４２を設けてある。
【００２９】
前記構成において、多用途多機能水槽３０は、通常、第１排水系３４の排水弁３７と第２排水系３５の排水弁３９を弁閉し、給水系４２の給水弁４１を弁開した状態で、第１貯水部５１に雨水または水道水を貯水し、第２貯水部５２の注水室５２Ａに水道水を注入して貯水した状態で屋外に設置される。つまり、構造物（たとえばコンテナ）３１のルーフ３２に取り外し可能に搭載した状態で屋外に設置される。
【００３０】
多用途多機能水槽３０がたとえばコンテナ３１のルーフ３２に取り外し可能に搭載されることで得られる位置エネルギーにより、第１貯水部５１に貯水されている雨水または水道水は、第１排水系３４の排水管３６を介して取水し、第２貯水部５２の注水室５２Ａに貯水されている水道水は、第２排水系３５の排水管３８を介して取水して、目的に応じた生活用水として選択使用することができる。すなわち、第１貯水部５１に貯水されている雨水または水道水をシャワ−やトイレなどに使用し、第２貯水部５２の注水室５２Ａに貯水されている水道水を飲料水や炊飯用の水などに使用することができる。また、ルーフ３２に取り外し可能に搭載された多用途多機能水槽３０によって、ル−フ３２の上面に外部断熱層を構成して、ルーフ３２が直射日光に晒されるのを回避することができる。このため、夏期であってもコンテナ３１内の温度が過剰に上昇するのを抑制して、快適な居住空間を確保することができるとともに、たとえ室内温度調整のために冷房設備を別途付設したとしても、省エネルギー化を図って冷房費用を削減できる。
【００３１】
一方、多用途多機能水槽３０全体のボリュームに対する貯水のボリュームの割合を設定することで水槽３０に浮力を生じさせることができるので、コンテナ３１のルーフ３２から多用途多機能水槽３０を取り外して、緊急用のボートとして活用することができる。すなわち、第１貯水部５１に貯水されているたとえば雨水を第１排水系３４により排水して、多用途多機能水槽３０全体のボリュームに対する貯水のボリュームの割合を小さくすることと、第１貯水部５１の浮力発生室５２Ｂによって元々貯水のボリュームの割合を小さくしていることによって、大きい浮力を発生させることができる。これにより、第２貯水部５２の注水室５２Ａに飲料水を貯水したままの状態、つまり注水室５２Ａの満水状態で、コンテナ３１のルーフ３２から多用途多機能水槽３０を取り外して水面に浮かべて第１貯水部５１に４〜５名が乗り入れても沈没することのない浮力を得ることができる。したがって、多用途多機能水槽３０を津波などの水害発生時における緊急用のボートとして活用できる。当然、第１貯水部５１に４〜５名が乗り込んだ緊急用のボートとしての使用状態で、第２貯水部５２における注水室５２Ａの貯水を飲用することが可能である。また、注水室５２Ａが満水状態であることにより、ボートの重心を低くして、ローリングやピッチングなどに対する安定度を高めることもできる。
【００３２】
前記実施の形態では、第２貯水部５２を注水室５２Ａと浮力発生室５２Ｂに仕切った構造で説明しているが、仕切りを省略したバラストタンクによって第２貯水部５２を構成してもよい。このように、第２貯水部５２をバラストタンク構造にすることで、多用途多機能水槽３０を緊急用のボートとして活用するのに際して、第１貯水部５１にのる人数に応じて飲料水の貯水量と浮力の大きさを好適な値に調整することができる。つまり、乗員の数を調整することができるとともに、調整された乗員の数に応じて浮力の大きさを好適な値に調整することができる。
【００３３】
【発明の効果】
以上説明したように、本発明に係る多用途多機能水槽は構成されているので、以下のような格別の効果を奏する。
【００３４】
請求項１に記載の発明によれば、構造物のルーフに搭載されることで得られる位置エネルギーにより、水槽内の水を生活用水に使用することができる。また、構造物のルーフが直射日光に晒されるのを回避することができる。さらに、水槽全体のボリュームに対する貯水のボリュームの割合を設定することで、水槽に浮力を生じさせることができるので、構造物のルーフから水槽を取り外して、緊急用のボートとして活用することができる。
【００３５】
請求項２に記載の発明によれば、上面を開口した第１貯水部でたとえば雨水を貯水し、閉断面構造の第２貯水部で水道水を貯水して、これらを生活用水として使用することができる。
【００３６】
請求項３に記載の発明によれば、第１貯水部に貯水されているたとえば雨水と、第２貯水部に貯水されている水道水とを、個別の排水系により分類して排水し、目的に応じた生活用水として選択使用することができる。
【００３７】
請求項４に記載の発明によれば、第１貯水部に貯水されているたとえば雨水を排水し、第２貯水部に水道水を貯水した状態で浮力を発生させ、飲料水を貯水した緊急用のボートとして水槽を活用することができる。
【００３８】
請求項５に記載の発明によれば、注水室が満水状態であっても、浮力発生室により水槽に浮力を発生させて、飲料水を貯水した緊急用のボートとして水槽を活用することができる。
【００３９】
請求項６に記載の発明によれば、緊急用のボートとして水槽を活用するのに際して、ボートにのる人数に応じて飲料水の貯水量と浮力の大きさを好適な値に調整することができる。
【図面の簡単な説明】
【図１】本発明の一実施の形態を示す斜視図である。
【図２】図１の正面図である。
【図３】図２の平面図である。
【図４】図２の右側面図である。
【図５】水槽の一例を示す平面図である。
【図６】図５の水槽の半截正面図である。
【図７】図６の水槽の半截右側面図である。
【図８】従来例の断面図である。
【符号の説明】
３０　多用途多機能水槽
３１　構造物
３２　ルーフ
３４　第１排水系
３５　第２排水系
５１　第１貯水部
５２　第２貯水部
５２Ａ　注水室
５２Ｂ　浮力発生室
【図１】
2004131150.tif 000003
【図２】
2004131150.tif 000004
【図３】
2004131150.tif 000005
【図４】
2004131150.tif 000006
【図５】
2004131150.tif 000007
【図６】
2004131150.tif 000008
【図７】
2004131150.tif 000009
【図８】
2004131150.tif 000010